(57)【要約】【課題】  ゴミの収集によりゴミ収集車から発生する臭気を薬剤の効果的な噴霧によって低減できる車載型薬剤噴霧システムを提供する。【解決手段】  ゴミ収集車本体に搭載可能な薬剤噴霧システムであって、薬剤タンク、薬剤供給ポンプ、ゴミ収集車のゴミ投入部内に設置してゴミ投入部空間内へ薬剤を噴霧できる薬剤噴霧ノズル、ゴミ投入部の密閉扉の閉口時に薬剤を噴霧できるスイッチ機構、前記要素を薬剤供給可能に接続する薬剤供給配管、を備えることを特徴とするゴミ収集車車載型薬剤噴霧システム。【選択図】  図１
2009018926.tif 000002
【特許請求の範囲】
【請求項１】
ゴミ収集車本体に搭載可能な薬剤噴霧システムであって、薬剤タンク、薬剤供給ポンプ、ゴミ収集車のゴミ投入部内に設置してゴミ投入部空間内へ薬剤を噴霧できる薬剤噴霧ノズル、ゴミ投入部の密閉扉の閉口時に薬剤を噴霧できる機構、前記要素を薬剤供給可能に接続する薬剤供給配管、を備えることを特徴とするゴミ収集車車載型薬剤噴霧システム。
【請求項２】
さらに、ゴミ貯留部内の空気を循環できる循環ブロワ、空気循環配管を備え、ブロワの吐出側配管内に薬剤を噴霧できる機構を備えることを特徴とする請求項１に記載のゴミ収集車車載型薬剤噴霧システム。
【請求項３】
ゴミ収集車のゴミ投入部及びゴミ貯留部の少なくとも一方に、臭気を検知して外部出力が可能なセンサーを備え、センサー出力値があらかじめ定めた設定値以上となったときに、センサー設置空間に薬剤を噴霧できる機構を備えることを特徴とする請求項１或いは２に記載のゴミ収集車車載型薬剤噴霧システム。
【請求項４】
ゴミ投入部密閉扉の開口時にもゴミ投入部空間に薬剤を噴霧できる機構を備えたことを特徴とする請求項１〜３のいずれかに記載のゴミ収集車車載型薬剤噴霧システム。
【請求項５】
薬剤噴霧のＯＮ・ＯＦＦをタイマーにより制御できる機構を備えたことを特徴とする請求項１〜４のいずれかに記載のゴミ収集車車載型薬剤噴霧システム。
【請求項６】
ゴミ収集車車外に薬剤を噴霧できる薬剤供給配管および薬剤噴霧ノズルを備えたことを特徴とする請求項１〜５のいずれかに記載のゴミ収集車車載型薬剤噴霧システム。
【請求項７】
臭気物質を薬剤噴霧空間で除去することを特徴とした請求項１〜６のいずれかに記載のゴミ収集車車載型薬剤噴霧システム。
【請求項８】
薬剤が有機酸または有機酸塩を含有する消臭剤であることを特徴とした請求項１〜７のいずれかに記載のゴミ収集車車載型薬剤噴霧システム。
【請求項９】
請求項１〜８のいずれかに記載の車載型薬剤噴霧システムを備えたゴミ収集車。
【発明の詳細な説明】
【技術分野】
【０００１】
本発明は、ゴミの収集で発生する悪臭に対し薬剤を噴霧することで悪臭を除去できる車載型薬剤噴霧システム及び前記薬剤噴霧システムを備えたゴミ収集車に関する。
【背景技術】
【０００２】
家庭や事業所等から発生した生ゴミ等の様々なゴミは各自治体によってゴミ収集車によって収集され、多くの場合焼却処理するという方法がとられている。ゴミの収集は収集時にゴミ収集車（パッカー車）によってゴミを圧縮、減容化して焼却場等に運搬される。ゴミ収集車には減容のための様々な形体の圧縮機構がついているが、圧縮した時にゴミ袋が破れて悪臭が外部に漏洩したり、また収集時に汚水等の臭気を放つ物質がゴミ収集車の車体に付着してゴミ収集車自体が臭気を放つなど収集作業員や地域住民を悩ませる要因となるケースがしばしば見受けられる。
【０００３】
このような問題に対応するため、ゴミ収集車に設置して消臭液を噴霧する消臭装置が提案されている（特許文献１）。しかしゴミ収集車に付着した悪臭物質由来の臭気の消臭には不十分でゴミ収集車内部より発生する臭気を消臭することができずゴミ収集車のゴミ投入部密閉扉が開いたときに臭気が拡散する等の問題であった。
【特許文献１】特開２００２−１２８２０３号公報
【発明の開示】
【発明が解決しようとする課題】
【０００４】
本発明は、ゴミの収集によりゴミ収集車から発生する臭気を薬剤の効果的な噴霧によって低減できる車載型薬剤噴霧システム及び薬剤噴霧システムを備えたゴミ収集車を提供することを課題とする。
【課題を解決するための手段】
【０００５】
１．ゴミ収集車本体に搭載可能な薬剤噴霧システムであって、薬剤タンク、薬剤供給ポンプ、ゴミ収集車のゴミ投入部内に設置してゴミ投入部空間内へ薬剤を噴霧できる薬剤噴霧ノズル、ゴミ投入部の密閉扉の閉口時に薬剤を噴霧できる機構、前記要素を薬剤供給可能に接続する薬剤供給配管、を備えることを特徴とするゴミ収集車車載型薬剤噴霧システム。
２．さらに、ゴミ貯留部内の空気を循環できる循環ブロワ、空気循環配管を備え、ブロワの吐出側配管内に薬剤を噴霧できる機構を備えることを特徴とする前記１．に記載のゴミ収集車車載型薬剤噴霧システム。
３．ゴミ収集車のゴミ投入部及びゴミ貯留部の少なくとも一方に、臭気を検知して外部出力が可能なセンサーを備え、センサー出力値があらかじめ定めた設定値以上となったときに、センサー設置空間に薬剤を噴霧できる機構を備えることを特徴とする前記１．或いは２．に記載のゴミ収集車車載型薬剤噴霧システム。
４．ゴミ投入部密閉扉の開口時にもゴミ投入部空間に薬剤を噴霧できる機構を備えたことを特徴とする前記１．〜３．のいずれかに記載のゴミ収集車車載型薬剤噴霧システム。
５．薬剤噴霧のＯＮ・ＯＦＦをタイマーにより制御できる機構を備えたことを特徴とする前記１．〜４．のいずれかに記載のゴミ収集車車載型薬剤噴霧システム。
６．ゴミ収集車車外に薬剤を噴霧できる薬剤供給配管および薬剤噴霧ノズルを備えたことを特徴とする前記１．〜５．のいずれかに記載のゴミ収集車車載型薬剤噴霧システム。
７．臭気物質を薬剤噴霧空間で除去することを特徴とした前記１．〜６．のいずれかに記載のゴミ収集車車載型薬剤噴霧システム。
８．薬剤が有機酸または有機酸塩を含有する消臭剤であることを特徴とした前記１．〜７．のいずれかに記載のゴミ収集車車載型薬剤噴霧システム。
９．前記１．〜８．のいずれかに記載の車載型薬剤噴霧システムを備えたゴミ収集車。
【発明の効果】
【０００６】
ゴミ収集車外部への悪臭の漏洩を効果的に抑制することができ、作業環境の改善や悪臭公害の低減化が可能である。
【発明を実施するための最良の形態】
【０００７】
本発明について実施の形態を、図面を参照して以下具体的に説明する。ゴミ収集車には様々なゴミの圧縮減容機構がついており、回転板式、圧縮板式、荷箱回転式、ロータリープレス式等がある。図１〜４では回転板式圧縮タイプのゴミ収集車を例にあげているが、本発明の薬剤噴霧システムは、圧縮機構タイプのゴミ収集車に搭載が限定されるものではなく、ゴミ投入扉が設置されておりゴミの収集時に扉が開放してゴミ投入口となる開口部ができ、収集が終わると扉が閉まり密閉され外気から遮断されるタイプのゴミ収集車であればいかなるゴミ収集車へも適用できる。
【０００８】
図４は、通常のゴミ収集車の側面図（１）と背面図（２）である。ゴミの収集は一般的にゴミ収集車本体１１に、ゴミ貯留部１２が設けられたゴミ収集車によって行われ、ゴミ収集車にはゴミ収集時以外は閉じられているゴミ投入部密閉扉１３があり、収集時にゴミ投入部密閉扉が開くことで開口部としてできるゴミ投入口１４よりゴミ投入部１５にゴミを投入し、ゴミ投入部内にある機械圧縮機により圧縮、減容化されゴミ貯留部１２に貯留していくという作業を行う。
【０００９】
ゴミの収集時には、ゴミの圧縮時にゴミ袋が破れゴミ臭が拡散する。このとき多くの場合、悪臭を発生させるゴミの内容物がゴミ投入部内にも付着して臭気を放つことになる。また収集されたゴミはゴミ収集車内のゴミ貯留部に貯留されるがゴミの貯留量が増えるにつれゴミ貯留部より発生する臭気量も多くなる。ゴミ収集開始時には、ゴミ投入前にゴミ投入部密閉扉を開放し開口部をつくる必要があるが、この時にゴミ貯留部およびゴミ投入部内に充満した臭気が外部へと漏洩してしまう。本発明はこの点に着目し、ゴミ投入部密閉扉の閉口時にゴミ投入部空間へ薬剤を噴霧して消臭し、外部への臭気拡散を低減するものである。
【００１０】
図１は本発明の薬剤噴霧システムを搭載したゴミ収集車例の側面図（１）とＸ−Ｙ断面図（２）と背面図（３）である。薬剤噴霧システムは、ゴミ収集車本体に設置された薬剤タンク２１、薬剤供給ポンプ２２、薬剤供給配管２３、ゴミ投入部内噴霧ノズル２４、噴霧制御装置２５より構成される。噴霧システムの動作は薬剤タンク２１より導入された薬剤を薬剤供給ポンプ２２により吐出し、薬剤供給配管２３を介して、薬剤投入部空間内に噴霧できるよう設置された薬剤噴霧ノズル２４よりゴミ投入部空間へと噴霧される。
【００１１】
前記噴霧システムにより、ゴミ投入部密閉扉の閉口時に悪臭に向かって消臭剤等の薬剤を噴霧することでゴミ投入部密閉扉開放時の外部への悪臭の拡散を大幅に低減することができる。またこの噴霧はゴミの投入前にゴミ投入部の内壁や圧縮板等にあらかじめ消臭剤等の薬剤を付着させる効果もあり、臭気発生を抑制する効果もある。
【００１２】
ゴミ投入部内噴霧ノズルの設置位置は、ゴミ投入部内空間に噴霧できる位置であればいかなる位置にも設置することができるが、ゴミ収集時の作業性、薬剤の拡散性、ノズル詰まりのし難さの点でゴミ投入口の上部位置に設置することが好ましい。ノズルの個数は設置するノズルの流量や噴霧パターン、カバー範囲とゴミ投入空間の広さによって選択でき、１つでも良いし複数個設置しても良い。ゴミ投入口全面をカバーできるノズルタイプとノズル個数であることが好ましい。
【００１３】
薬剤の噴霧はゴミ投入部密閉扉閉口時の噴霧に加えてゴミの投入時、即ちゴミ投入扉の開口時にも行うことで、その都度収集したゴミ由来の臭気を瞬時に消臭できるためさらに消臭効果を高めることができる。ゴミ投入部密閉扉開口時噴霧の噴霧ノズルは、ゴミ投入部内噴霧ノズル２４を用いればよい。
【００１４】
ゴミ投入部内噴霧は薬剤噴霧装置により制御することができ、例えば手動ＯＮ・ＯＦＦスイッチを組み込んで臭気が強い時に手動で噴霧の入切を行うこともできる。噴霧制御タイマーを設けて、あらかじめ設定した時間経過後ＯＦＦとなるよう制御することもできるし、タイマーに設定した時間で間欠噴霧制御することもできる。さらにゴミ投入部密閉扉の開閉検知センサーまたは開閉検知スイッチを設けて、ゴミ投入部密閉扉が閉まってから設定した時間経過後にあらかじめ設定しておいたタイマー制御により自動ＯＮ・ＯＦＦを行うといった制御も可能である。
【００１５】
図２は図１の形態に加えてゴミ貯留部の消臭システムを盛り込んだ薬剤噴霧システムを搭載したゴミ収集車の他の例の側面図（１）とＸ−Ｙ断面図（２）と背面図（３）である。ゴミ貯留部内で発生した臭気を消臭することで外部への臭気の漏洩をさらに低減することができる。
【００１６】
ゴミ貯留部内の空気（臭気）は、ゴミ貯留部に設けた吸引口３２より吸引配管３３を介して空気循環ブロワ３１により吸引され、戻り配管３５を介して戻り口３４からゴミ貯留部へと循環される。戻り配管において配管内へと噴霧が可能なブロワ噴霧ノズル３６を設け、配管内に薬剤を噴霧できるようにする。これによりブロワ戻り配管内で噴霧された薬剤がゴミ貯留部へと供給され、ゴミ貯留部内の消臭が可能となる。ゴミ貯留部内の空気を循環させることでゴミ貯留部全体を広く消臭でき、また戻り配管内に薬剤を噴霧することで悪臭と薬剤の接触効率があがり消臭効率が高められ、より少ない薬剤量で消臭効果を得ることができる。
【００１７】
ゴミ貯留部内の薬剤噴霧システムの制御は、噴霧制御装置３ａにより行うことができる。例えば手動ＯＮ・ＯＦＦスイッチを組み込んで臭気が強い時に手動で噴霧の入切を行うこともできる。この時の動作はＯＮ・ＯＦＦスイッチがＯＮにされた時に空気循環ブロワ稼動と薬剤供給ポンプ稼動とブロワ噴霧バルブ３７の開閉が連動するように制御すればよい。ゴミ投入部内噴霧とゴミ貯留部ブロワ噴霧の両方を行うシステムにおいては、ゴミ投入部噴霧バルブ３８を設けて、ゴミ投入部内噴霧時に薬剤供給ポンプの稼動に連動してバルブ開閉動作するよう制御すればよい。タイマー制御においては、図１の形態と同様に噴霧制御装置に組み込んで使用することができる。
【００１８】
ブロワ排気噴霧ノズルの設置位置は、ブロワ配管内を逆流しないよう戻り口３４近くに設置することが好ましい。ノズル個数には特に制限が無く、１つでも良いし複数個設置しても良い。吸引口、戻り口にはゴミの吸引、混入防止のために、フィルターを設置することが好ましい。フィルターには不織布等の疎水性フィルターやステンレス等の金属製金網が好適に使用できる。これらフィルターは閉塞防止やメンテナンスを容易にする観点で２重構造としてもよい。
【００１９】
ゴミ貯留部とゴミ投入部の両方またはいずれか一方に外部出力が可能な臭気を検知するセンサー３９を設け、センサー値が任意の設定数値以上になったときにセンサー設置空間に薬剤を自動噴霧することもできる。センサーの種類は収集するゴミの種類等により選択でき、半導体においセンサー、アンモニアガスや硫化水素ガス等の濃度測定器等が好適に使用できる。このとき薬剤噴霧制御装置３ａにセンサー出力値を取り込めるようにし、センサー出力値が臭いの強さとしてあらかじめ任意に設定した基準値以上の時にそれぞれのセンサー位置に応じた噴霧バルブ３７、３８を開放して噴霧がＯＮとなる機構を組み込めばよい。
【００２０】
前述の臭気検知センサー制御とタイマー制御を組み合わせて使用することもできる。例えば臭気検知センサー出力値があらかじめ設定していた基準値以上になったときに薬剤の噴霧を開始し、さらにあらかじめ設定していた時間だけ薬剤を噴霧した後噴霧を停止するといった制御も可能である。
【００２１】
以上のように、ゴミ投入部及びゴミ貯留部の消臭を行うことで、ゴミ収集車のゴミ貯留部悪臭の消臭と悪臭発生の抑制そしてゴミ収集時の消臭を実現でき、ゴミ収集作業全般で発生する悪臭のゴミ収集車外部への漏洩を大幅に低減することができる。
【００２２】
図３は、図１および図２の形態に加えて、ゴミ収集車車外への薬剤噴霧システムを盛り込んだ薬剤噴霧システムを搭載したゴミ収集車の例の側面図（１）とＸ−Ｙ断面図（２）と背面図（３）である。図１および図２の噴霧システムに加え、車外噴霧配管４２、車外噴霧ノズル４１、車外噴霧バルブ４３を配置したものである。車外噴霧配管４２にはフレキシブル配管や取り扱いが容易なホース等を用いることができ、ラインを伸縮できる機構、例えばホース巻き取り式等を設置しても良い。長さは必要に応じて自由に設定することができる。車外噴霧ノズルには噴霧量や噴霧角度等を調節できる一般に農業用等に用いられるノズル、散布竿等を適用することができる。
【００２３】
車外噴霧ノズルの噴霧制御は、噴霧ノズルの手元に設けた車外噴霧バルブを手動で開閉してもよく、薬剤供給ポンプと車外噴霧バルブの開閉を制御できるスイッチを設けてＯＮ・ＯＦＦできるようにしてもよい。このときポンプとバルブの開閉が連動して同時に行えるようにすればスイッチの数を１つにでき、作業性や誤操作防止の点でより好ましい。車外噴霧ノズルの設置位置は、ゴミ収集車本体のどの場所でも良く作業性を考慮して設定できる。噴霧ノズルの設置個数に制限は無い。
【００２４】
車外噴霧ノズルを搭載することで、ゴミ貯留部およびゴミ投入部での噴霧ノズルでカバーしきれないゴミ投入口周辺、ゴミ収集車外周、そしてさらに例えばゴミ置き場等の様な臭気の発生している場所および臭気の発生が見込まれるゴミ収集車車外の任意の場所に消臭剤等の薬剤を噴霧し消臭することができる。
【００２５】
使用できる薬剤は、ゴミから発生する悪臭物質と接触して悪臭を低減できる薬剤を使用することができる。ゴミから発生する悪臭物質は、ゴミの種類にもよるが代表的なものとしてトリメチルアミン等のアミン類、アンモニア等の窒素化合物、メチルメルカプタンや硫化水素等の硫黄系物質、イソ吉草酸等の有機酸等があり、その他に雑臭として様々な悪臭物質が複合的に含まれている。そのため上記臭気物質らを分解、除去でき、さらに雑臭を緩和できる一般的に消臭剤として公知の天然系消臭剤や化学系消臭剤が使用できる。
【００２６】
天然系消臭剤としては、木酢液、緑茶やヒノキ抽出物、針葉樹や大豆等の植物抽出物、大豆油誘導体、またフラボノイドやテルペン等を含む植物抽出物、精油等があげられる。
【００２７】
化学系消臭剤としては、ホルムアルデヒド、グリオキザール、グルタルアルデヒド、マロンアルデヒド、ベンズアルデヒド、スクシンアルデヒド、マレインアルデヒド等のアルデヒド化合物、グリオキシル酸、ピルビン酸等のオキソカルボン酸、シュウ酸、クエン酸、マロン酸、コハク酸、グルタル酸、アジピン酸、ピメリン酸、フマル酸、メチルリンゴ酸、イソクエン酸、酒石酸、グルコン酸、マレイン酸、メチルマレイン酸、メチルフマル酸、イタコン酸、アセチレン酸、リンゴ酸、ギ酸、酢酸、ラウリン酸、リノール酸、オレイン酸、アクリル酸、ポリアクリル酸、ヒドロキシ酢酸、ソルビン酸、乳酸、アルギン酸、アスパラギン酸、グリシン等の脂肪族系カルボン酸、安息香酸、ニコチン酸、没食子酸、アビエチン酸、ケイ皮酸、フタル酸、テレフタル酸、トリメリット酸等の芳香族系カルボン酸とこれら有機酸化合物のハロゲン置換体エステル体とアルカリ金属塩化合物と酸無水物、ラウリルメタクリレートといったメタクリル酸エステル、マレイン酸ジメチルといったマレイン酸エステル等の不飽和エステル化合物、モノエタノールアミン、ジエタノールアミン、トリエタノールアミン等の有機窒素系化合物、及びその塩、水酸化ナトリウム、水酸化カリウム、炭酸ナトリウム、炭酸水素ナトリウム、炭酸カルシウム等の無機アルカリ、硫酸、リン酸、塩酸、等の無機酸、二価鉄等の鉄系化合物、過マンガン酸カリウム、二酸化マンガン等のマンガン化合物、酸化チタン、酸化ジルコニウム、酸化ケイ素、酸化カルシウム、酸化アルミニウム、ミョウバン、硫酸アルミニウム、硫酸銅、炭酸亜鉛、硫酸亜鉛、塩化亜鉛やニッケル、スズ、鉛、コバルト、白金、パラジウム、銀、モリブデン、ルテニウム、ストロンチウム等の金属化合物、次亜塩素酸、次亜塩素酸ナトリウム、塩素酸塩、亜塩素酸塩、二酸化塩素、塩素、サラシ粉、塩素化イソシアヌール酸等の塩素化合物、過酸化水素、過炭酸ナトリウム、過酸化カルシウム、オゾン等の過酸化物、水素、水素過ホウ素化合物、水酸化アルミニウム化合物、亜硫酸ナトリウム、硝酸ナトリウム、亜硝酸ナトリウム、ヨウ化水素、ヒドラジン等の酸化還元剤、エチレンオキシド、プロピレンオキシド、ブチレンオキシド等のエポキシド化合物、シクロデキストリン等のデキストリン系化合物、ラウリルジメチルアミノ酢酸ベタイン等のベタイン化合物、塩化ベンザルコニウム、塩化ベンゼトニウム等のカチオン系界面活性剤、ベタイン型、グリシン型界面活性剤等の両性界面活性剤、アニオン系界面活性剤、ノニオン系界面活性剤等の界面活性剤、といった物質が広く使用できる。
【００２８】
これらは単独でも複数物質を混合して使用しても良い。特に有機酸および有機酸塩を含む消臭剤が幅広い消臭効果、安全性、取扱性の点でより好ましく、なかでもグリオキシル酸、ビルピン酸等がより好ましい。消臭剤に精油等の芳香成分を付与することは完全に除去しきれない悪臭物質を官能的に除去できる点で効果的である。
【００２９】
中和反応による消臭効果を高めるためにｐＨ調整剤を含有させたものも好適に使用できる。硫化水素や有機酸臭といった酸性臭には中性からアルカリ性消臭剤が効果に優れ、アミン、アンモニアといったアルカリ臭には酸性消臭剤が効果に優れる。ｐＨ調整範囲は対象の悪臭物質の酸アルカリ度によって設定でき、ｐＨ３．０〜１０．０の範囲が好ましく、腐食性や取扱性等の使用環境の点でｐＨ６．０〜９．０の範囲がより好ましい。使用できるｐＨ調整剤としては、水に溶解して酸性、アルカリ性を示すものであればよく前記した消臭成分も使用でき、食品添加物として指定されているリンゴ酸、リンゴ酸水素カリウム、リンゴ酸ナトリウム酒石酸、酒石酸ナトリウム、酒石酸水素カリウム、酒石酸ナトリウム、酒石酸カルシウム、重酒石酸カリウム、アジピン酸、アジピン酸アンモニウム、アジピン酸カリウム、アジピン酸ナトリウム、アンモニア水、カリミョウバン、カルナウバロウ、カルナウバワックス、クエン酸、クエン酸カルシウム、クエン酸三ナトリウム、グルコノデルタラクトン、グルコノラクトン、グルコン酸ナトリウム、グルコン酸マグネシウム、コハク酸、コハク酸一ナトリウム、コハク酸二ナトリウム、ソーダ灰、フマル酸、フマル酸カリウム、フマル酸カルシウム、フマル酸ナトリウム、フマル酸一ナトリウム、ブラジルワックス、ミョウバン、リン酸、リン酸マグネシウム、リン酸一カリウム、リン酸一ナトリウム、リン酸水素二アンモニウム、リン酸水素二カリウム、リン酸水素二ナトリウム、リン酸二アンモニウム、リン酸二カリウム、リン酸二ナトリウム、リン酸二水素カリウム、リン酸二水素ナトリウム、重炭酸アンモニウム、重炭酸ナトリウム、重炭素ソーダ、焼ミョウバン、酢酸アンモニウム、酢酸カルシウム、酢酸ナトリウム、炭酸アンモニウム、炭酸カリウム、炭酸ガス、炭酸ナトリウム、炭酸水素アンモニウム、炭酸水素ナトリウム、炭素ソーダ、乳酸、乳酸アンモニウム、乳酸ナトリウム、硫酸アルミニウムカリウム、アジピン酸、イタコン酸、グリシン、安息香酸ナトリウム、水酸化ナトリウム、水酸化カリウム等がより好適に使用できる。
【００３０】
使用できる薬剤は発生する悪臭量に応じて水で希釈して使用することができる。希釈倍率は噴霧量と薬剤タンクの大きさによるが１〜１００倍が好ましい。高希釈すると消臭成分が少なくなるため１〜１０倍希釈で使用することがより好ましい。希釈に使用できる水には特に制限はないが、水道水や井戸水等の飲料水として利用される水であることが安全性の点でより好ましい。
【００３１】
前記いずれの場合も薬剤の噴霧量は、ゴミの量、悪臭の種類や発生量、適用する薬剤の持つ消臭効果と使用する希釈倍率等によるため一概にいえないが、各噴霧場所での全噴霧液量としては、車内噴霧ノズルの場合は０．０１〜５Ｌ／分であることが好ましく、０．０１〜０．５ｍＬ／分であることが薬剤補充頻度の減少等の面でより好ましい。車外噴霧ノズルの場合は、０．１〜１０Ｌ／分であることが好ましい。
【００３２】
前記噴霧システムの薬剤ポンプは、ダイヤフラムポンプ、渦流ポンプ、ギアポンプ、動噴ポンプ等を用いることができる。これらポンプ能力（流量、吐出圧力等）は使用するノズルに応じて決定すれば良い。薬剤タンクは、薬剤の使用量や設置スペースに応じて５〜１００Ｌ程度のものを設置することが好ましい。配管ラインは、ステンレス等の金属配管やナイロンやウレタン、塩化ビニル等の樹脂製配管、ホース等が適用できる。
【００３３】
前記噴霧システムの噴霧ノズルは、市販の噴霧ノズルを特に制限無く使用できるが、噴霧粒径が１ｍｍ未満で噴霧でき、かつノズル詰まりを抑制するためノズルオリフィスは極力大きいものを選択することがメンテナンス頻度を少なくできる点で好ましい。噴霧ノズルには２流体噴霧ノズルを用いても良い。２流体噴霧とは、薬剤と圧縮空気の２つの流体を混合して噴霧ノズルより放出することで、より微細噴霧を得る噴霧方式であり、噴霧空間内により薬剤を均一に分散させることができて消臭範囲を広げられる点、消臭効果を高めることができる点で有効である。２流体噴霧の圧縮空気にはエアブレーキ用として使用される圧縮空気タンクを利用しても良い。これにより新たなコンプレッサーや圧縮空気タンクを設置する必要がなく、噴霧システムをコンパクトにすることができる。
【００３４】
前記噴霧システムには、図示している機器以外にも必要に応じて噴霧量を調整するための流量計、圧力計、圧力調整弁等や、配管やノズル保守のための逆止弁、背圧弁、リリーフ弁等や、ノズルの詰まりを低減させるための薬剤用フィルター、エアフィルター等の各種配管部品等を装備することは効果的である。
【００３５】
薬剤噴霧システムはゴミ排水の消臭にも適用することができる。ゴミの圧縮の際に出たゴミ排水は、ゴミ収集車下部の排水受けで受けられゴミ収集車内部の汚水タンクに貯留される。噴霧する薬剤をゴミ排水と混合させると、ゴミ排水中の悪臭の分解、除去効果に加え悪臭の発生を抑制する消臭持続効果も発現する。
【００３６】
薬剤噴霧システムを応用すれば、薬剤の持つ消臭効果に加えて洗浄効果も利用することができる。特に界面活性剤の含有した薬剤を利用すると消臭の用途にくわえて、ゴミ投入部に薬剤が接触することでゴミの付着抑制効果やゴミの洗い流し効果といった所謂洗浄効果が発現する。洗浄効果はゴミ収集車の他の用途にも利用することができる。例えば、車外噴霧システムをゴミ収集車の洗車装置として利用して、ゴミ収集車の洗車を行うことができる。また車輌に装備されているウインドウォッシャー液ラインに薬剤の供給配管接続し、消臭機能をもつウインドウォッシャーとしても使用することができる。この時、通常ウインドウォッシャーに供給される液が液と本発明の薬剤とを切替えて供給できる機構を盛り込めば、ゴミ収集車周辺の臭いが強い時にウインドウォッシャー液として本発明の薬剤に切替えて使用することで、ガラスの洗浄効果と同時にゴミ収集車周囲の消臭効果を得るということもできる。
【実施例】
【００３７】
以下に本発明を実施例に基づいて説明するが、本発明はこれらの具体的態様に限定されるものではない。実施例の前提条件は以下の通りである。
【００３８】
一般のゴミ収集車（最大積載量２トン）に、図２の様に薬剤タンク（１０Ｌ）と薬剤供給ポンプ（ダイヤフラム式）とゴミ投入部内にゴミ投入部内噴霧ノズル（３個）を設置し、またゴミ貯留部に吸排気管を取付け真空ブロワと接続し、ブロワの排気側にブロワ噴霧ノズル（１個）を設置した。薬剤供給ポンプと噴霧ノズルはブレードホースで接続し、ライン中に噴霧ライン別にゴミ投入部噴霧バルブ、ブロワ噴霧バルブとして電磁弁を設置した。薬剤供給ポンプとブロワ、電磁弁の開閉制御は制御装置（ＯＮ・ＯＦＦスイッチ及びタイマー等の噴霧制御機構内蔵の電気制御盤）で行った。薬剤には有機酸塩及び界面活性剤を配合した市販消臭剤（商品名：シュカッターＳＲ２５０ＦＳ、旭化成クリーン化学株式会社製）を水道水で５倍希釈して使用した。なお、悪臭の測定は嗅覚による官能評価で行った。
【００３９】
ゴミ収集作業の前のゴミ投入扉閉口時に、手動スイッチのＯＮにてゴミ投入部内噴霧ノズルおよびブロワ噴霧ノズルでそれぞれ薬剤を噴霧液量２５０ｍＬ／分で、１分間稼動後タイマーで自動停止するようにして噴霧した。結果、噴霧しない時と比較してゴミ投入扉を開放したときの悪臭が低減した。
【００４０】
また加えてごみ収集作業時のゴミ開口部時に、手動スイッチのＯＮにて、ゴミ投入部内への薬剤を噴霧液量２５０ｍＬ／分で約２分間噴霧した。結果、噴霧しない時と比較して大幅に悪臭が低減した。以上のことから、本発明の薬剤噴霧システムは悪臭の消臭に有効であることがわかる。
【図面の簡単な説明】
【００４１】
【図１】薬剤噴霧システムを搭載したゴミ収集車の例の模式図である。
【図２】薬剤噴霧システムを搭載したゴミ収集車の他の例の模式図である。
【図３】薬剤噴霧システムを搭載したゴミ収集車のさらに他の例の模式図である。
【図４】通常のゴミ収集車の例の模式図である。
【符号の説明】
【００４２】
１１・・ゴミ収集車本体
１２・・ゴミ貯留部
１３・・ゴミ投入部密閉扉
１４・・ゴミ投入口
１５・・ゴミ投入部
２１・・薬剤タンク
２２・・薬剤供給ポンプ
２３・・薬剤供給配管
２４・・ゴミ投入部内噴霧ノズル
２５・・噴霧制御装置
３１・・ブロワ
３２・・吸引口
３３・・吸引配管
３４・・戻り口
３５・・戻り配管
３６・・ブロワ噴霧ノズル
３７・・ブロワ噴霧バルブ
３８・・ゴミ投入部噴霧バルブ
３９・・臭気検知センサー
３ａ・・噴霧制御装置
４１・・車外噴霧ノズル
４２・・車外噴霧配管
４３・・車外噴霧バルブ
４４・・噴霧制御装置
【図１】
2009018926.tif 000003
【図２】
2009018926.tif 000004
【図３】
2009018926.tif 000005
【図４】
2009018926.tif 000006